(57)【要約】【課題】子機の構成が複雑化せず、また発信及び着信のいずれのときにも画像送信モード及び画像受信モードを選択的に設定することが可能な端末装置を提供する。【解決手段】子機２による通話に際し、子機２から親機１へとファクシミリ通信の起動が指示されると、原稿が原稿読み取り部１１にセットされていないか、あるいは原稿がセットされていても、セットされてから一定時間が経過していると、ファクシミリ受信モードを設定し、また原稿が原稿読み取り部１１にセットされてから一定時間が経過する以前であれば、ファクシミリ送信モードを設定している。【選択図】図１
2006081016.tif 000002
【特許請求の範囲】
【請求項１】
通信網を通じて相手端末に接続される親機と、親機及び通信網を通じて相手端末に接続される子機とを備え、親機は、画像通信を行うことが可能であり、子機は、画像通信の起動を親機に指示することが可能な端末装置において、
原稿を読み取る原稿読み取り手段と、
原稿が原稿読み取り手段にセットされた状態であるか否かを検出するセット状態検出手段と、
セット状態検出手段により原稿のセット状態が検出されると、一定時間の計時を開始する計時手段と、
計時手段による一定時間の計時が終了するまでに、画像通信の起動が子機から親機に指示されると、原稿を原稿読み取り手段で読み取って相手端末に送信するための画像送信モードを設定する制御手段と
を備えることを特徴とする端末装置。
【請求項２】
制御手段は、計時手段による一定時間の計時が終了した後に、画像通信の起動が子機から親機に指示されると、相手端末からの原稿を受信するための画像受信モードを設定することを特徴とする請求項１に記載の端末装置。
【請求項３】
セット状態検出手段は、原稿が原稿読み取り手段の読み取り位置にセットされたか否かを検出することにより、原稿がセットされた状態であるか否かを検出することを特徴とする請求項１に記載の端末装置。
【請求項４】
原稿を原稿読み取り手段の読み取り位置にセットするときに開閉されるカバーを備え、
セット状態検出手段は、カバーの開閉を検出することにより、原稿がセットされた状態であるか否かを検出することを特徴とする請求項１に記載の端末装置。
【請求項５】
端末装置は、ファクシミリ装置であることを特徴とする請求項１に記載の端末装置。
【請求項６】
端末装置は、プリンタ複合機であることを特徴とする請求項１に記載の端末装置。
【発明の詳細な説明】
【技術分野】
【０００１】
本発明は、通信網に直接接続される親機と、親機を通じて通信網に接続される子機とを備える端末装置に関する。
【背景技術】
【０００２】
この種の端末装置としては、ファクシミリ装置やプリンタ複合機等がある。例えば、ファクシミリ装置には、親機を電話回線を通じて相手端末に接続して、親機により通話を行ったり、子機を親機及び電話回線を通じて相手端末に接続して、子機により通話を行うことが可能なものがある。また、親機は、送信原稿を読み取って相手端末に送信したり、受信原稿を相手端末から受信して印字するというファクシミリ通信を行う。
【０００３】
更に、子機から親機に対して、ファクシミリ通信の起動を指示することが可能なものもある。例えば、ファクシミリ通信の起動を指示するための操作ボタンを子機に設け、この操作ボタンが操作されたときに、ファクシミリ通信の起動を子機から親機に指示する。親機は、子機からの指示を受けると、親機側に送信原稿がセットされているか否かを判定し、送信原稿がセットされていれば、送信原稿を読み取って送信するというファクシミリ送信モードを設定し、また送信原稿がセットされていなければ、相手端末からの受信原稿を受信して印字するというファクシミリ受信モードを設定する。
【０００４】
ところが、この様に親機側に送信原稿がセットされているか否かに基づいて、ファクシミリ送信モード及びファクシミリ受信モードを選択的に設定する場合は、子機の使用者が、ファクシミリ受信モードを設定したつもりでも、ファクシミリ送信モードが設定されることがあった。例えば、子機の使用者は、子機の操作ボタンの操作によりファクシミリ通信の起動を指示し、ファクシミリ受信モードを設定したつもりでも、このときに親機側に全く知らない送信原稿がセットされたまま放置されていれば、ファクシミリ送信モードが設定されてしまい、この全く知らない送信原稿が送信されてしまった。
【０００５】
このため、特許文献１では、ファクシミリ送信モード及びファクシミリ受信モードを指示するためのそれぞれの操作ボタンを子機に設けておき、これらの操作ボタンの選択的な操作に応答してファクシミリ送信モード及びファクシミリ受信モードのいずれかを子機から親機に指示している。あるいは、ファクシミリ通信の起動を指示するための操作ボタンを子機に設けておき、相手端末への発信に伴う通信に際し、操作ボタンによりファクシミリ通信の起動が子機から親機に指示されると、ファクシミリ送信モードを設定し、また相手端末からの着信に伴う通信に際し、操作ボタンによりファクシミリ通信の起動が子機から親機に指示されると、ファクシミリ受信モードを設定している。これにより使用者の意図とは異なるモードが設定されることを防止している。
【特許文献１】特開平５−９１２３８号公報
【発明の開示】
【発明が解決しようとする課題】
【０００６】
しかしながら、特許文献１の様にファクシミリ送信モード及びファクシミリ受信モードを指示するためのそれぞれの操作ボタンを子機に設けると、子機の構成が複雑化するので、小型軽量化を要求される子機にとっては好ましくなかった。
【０００７】
また、相手端末への発信に伴う通信のときにファクシミリ送信モードを設定し、また相手端末からの着信に伴う通信のときにファクシミリ受信モードを設定する場合は、前者の
発信に伴う通信のときにファクシミリ受信モードを設定したり、後者の着信に伴う通信のときにファクシミリ送信モードを設定することができなくなった。
【０００８】
そこで、本発明は、上記従来の問題に鑑みてなされたものであり、子機の構成が複雑化せず、また発信及び着信のいずれのときにも画像送信モード及び画像受信モードを選択的に設定することが可能な端末装置を提供することを目的とする。
【課題を解決するための手段】
【０００９】
上記課題を解決するために、本発明は、通信網を通じて相手端末に接続される親機と、親機及び通信網を通じて相手端末に接続される子機とを備え、親機は、画像通信を行うことが可能であり、子機は、画像通信の起動を親機に指示することが可能な端末装置において、原稿を読み取る原稿読み取り手段と、原稿が原稿読み取り手段にセットされた状態であるか否かを検出するセット状態検出手段と、セット状態検出手段により原稿のセット状態が検出されると、一定時間の計時を開始する計時手段と、計時手段による一定時間の計時が終了するまでに、画像通信の起動が子機から親機に指示されると、原稿を原稿読み取り手段で読み取って相手端末に送信するための画像送信モードを設定する制御手段とを備えている。
【００１０】
また、本発明においては、制御手段は、計時手段による一定時間の計時が終了した後に、画像通信の起動が子機から親機に指示されると、相手端末からの原稿を受信するための画像受信モードを設定している。
【００１１】
更に、本発明においては、セット状態検出手段は、原稿が原稿読み取り手段の読み取り位置にセットされたか否かを検出することにより、原稿がセットされた状態であるか否かを検出している。
【００１２】
また、本発明においては、原稿を原稿読み取り手段の読み取り位置にセットするときに開閉されるカバーを備え、セット状態検出手段は、カバーの開閉を検出することにより、原稿がセットされた状態であるか否かを検出している。
【００１３】
更に、本発明の端末装置は、ファクシミリ装置である。あるいは、本発明の端末装置は、プリンタ複合機である。
【発明の効果】
【００１４】
本発明の端末装置によれば、原稿のセット状態が検出されてから、一定時間の計時が終了するまでに、画像通信の起動が子機から親機に指示されると、原稿を読み取って相手端末に送信するための画像送信モードが設定される。
【００１５】
また、一定時間の計時が終了した後に、画像通信の起動が子機から親機に指示されると、相手端末からの原稿を受信するための画像受信モードが設定される。
【００１６】
従って、相手端末への発信に伴う通信、及び相手端末からの着信に伴う通信のいずれであるかにかかわらず、画像通信の起動を指示するタイミングにより、画像送信モード及び画像受信モードを選択的に設定することができる。
【００１７】
原稿が原稿読み取り手段にセットされた状態であるか否かの検出は、原稿が読み取り位置にセットされたか否かを検出したり、原稿を挟んで押さえるカバーが開閉されたか否かを検出すれば良い。
【００１８】
本発明の端末装置としては、ファクシミリ装置やプリンタ複合機がある。プリンタ複合
機とは、本来、パーソナルコンピュータ等の外部機器から画像データを受け取って、この画像データによって示される画像を記録用紙に印字するというプリンタの役目を果たすものであり、更に、電話機の機能、ファクシミリ通信機能、及び子機等を付設された多目的機器である。
【発明を実施するための最良の形態】
【００１９】
以下、本発明の実施例を添付図面を参照しつつ詳細に説明する。
【実施例１】
【００２０】
図１は、本発明の端末装置の実施例１としてのファクシミリ装置を示すブロック図である。このファクシミリ装置は、電話回線Ｎを通じて相手端末（図示せず）に接続される親機１と、親機１及び電話回線Ｎを通じて相手端末に接続される子機２とを備えている。親機１は、電話回線Ｎを通じて、相手端末に発信したり、相手端末からの着信に応答することにより相手端末と通信状態になり、通話及びファクシミリ通信を行うことができる。また、子機２は、親機１との間で無線通信を行い、親機１及び電話回線Ｎを通じて、相手端末に発信したり、相手端末からの着信に応答することにより相手端末と通信状態になり、通話を行うことができる。
【００２１】
親機１は、中央処理装置（以下ＣＰＵ（Central Processing Unitの略称）と称す）３、データバス４、読み出し専用メモリ（以下ＲＯＭ（Read Only Memoryの略称）と称す）５、書き込み読み出し可能メモリ（以下ＲＡＭ（Random Access Memoryの略称）と称す）６、操作入力部７、センサ８、回線制御部９、ファクシミリ制御部１０、原稿読み取り部１１、印字部１２、表示部１３、無線制御部１４、及びタイマー１５等を備えている。
【００２２】
ＣＰＵ３は、親機１を統括的に制御するものであり、ＲＯＭ５に記憶される各種のプログラムを読み出して実行し、親機１の各ブロックを制御する。
【００２３】
データバス４は、親機１の各ブロック間で送受されるデータ信号を伝達する信号線である。
【００２４】
ＲＡＭ６は、各種のデータテーブル等の登録設定記憶、表示画面データのバッファ、及びワークエリア等のために用いられる。ワークエリアは、親機１の各ブロックの制御情報を一時記憶するために利用される。
【００２５】
操作入力部７は、ダイヤルキーや各種の登録キー、通信開始キー等を備えており、操作入力されたデータや指示等をＣＰＵ２に与える。これに応答してＣＰＵ２は、親機１の各ブロックを制御する。
【００２６】
センサ８は、原稿が原稿読み取り部１１にセットされたか否かを検出し、検出出力をＣＰＵ３に出力する。ＣＰＵ３は、センサ８の検出出力に基づいて、親機１の各ブロックを制御したり、センサ８の検出出力に係わるデータをＲＡＭ６に記憶する。
【００２７】
回線制御部９は、電話回線Ｎの補足及び開放を制御し、交換機等を含む電話回線網を通じて、相手端末に発信したり、相手端末からの着信に応答したりして、相手端末との通信経路を形成する。
【００２８】
ファクシミリ制御部１０は、回線制御部９を通じて、一般的なファクシミリ通信プロトコルを相手端末との間で実行し、ファクシミリ送信モード（画像送信モード）及びファクシミリ受信モード（画像受信モード）を選択的に行う。ファクシミリ送信モードでは、原稿を示す画像データを原稿読み取り部１１から入力し、この画像データを変調して、この
変調された画像データを回線制御部９から電話回線Ｎを通じて相手端末へと送信する。また、ファクシミリ受信モードでは、相手端末からの原稿を示す画像データが電話回線Ｎを通じて回線制御部９で受信されると、この画像データを復調してから印字部１２に出力する。
【００２９】
原稿読み取り部１１は、原稿をセットされると、この原稿を読み取り、この原稿を示す画像データをファクシミリ制御部１０もしくは印字部１２に出力する。
【００３０】
印字部１２は、原稿読み取り部１１もしくはファクシミリ制御部１０から画像データを入力し、この画像データによって示される原稿を記録用紙に印字して出力する。
【００３１】
表示部１３は、ＣＰＵ３からの指示に従って、待機画面、登録設定入力画面等を表示する。
【００３２】
無線制御部１４は、無線アンテナ１４ａを有しており、子機２との間で行われる無線通信を行って、音声データ及び制御データ等を送受する。
【００３３】
タイマー１５は、ＣＰＵ３により設定された一定時間を計時し、この一定時間の計時が終了したか否かを判定して、この判定結果をＣＰＵ３に通知する。
【００３４】
一方、子機２は、中央処理装置（以下ＣＰＵと称す）２１、データバス２２、読み出し専用メモリ（以下ＲＯＭと称す）２３、書き込み読み出し可能メモリ（以下ＲＡＭと称す）２４、操作入力部２５、表示部２６、及び無線制御部２７等を備えている。
【００３５】
ＣＰＵ２１は、子機２を統括的に制御するものであり、ＲＯＭ２３に記憶される各種のプログラムを読み出して実行し、子機２の各ブロックを制御する。
【００３６】
データバス２２は、子機２の各ブロック間で送受されるデータ信号を伝達する信号線である。
【００３７】
ＲＡＭ２４は、各種のデータテーブル等の登録設定記憶、表示画面データのバッファ、及びワークエリア等のために用いられる。
【００３８】
操作入力部２５は、ダイヤルキーや各種の登録キー、通信開始キー等を備えており、操作入力されたデータや指示等をＣＰＵ２１に与える。
【００３９】
表示部２６は、ＣＰＵ２１からの指示に従って、待機画面、登録設定入力画面等を表示する。
【００４０】
無線制御部２７は、無線アンテナ２７ａを有しており、親機１との間で行われる無線通信を行って、音声データ及び制御データ等を送受する。
【００４１】
ここで、親機１では、操作入力部７の入力操作やハンドセット（図示せず）等の操作に応答して、回線制御部９による電話回線Ｎの補足制御を行い、相手端末に発信したり、相手端末からの着信に応答したりして、相手端末との通信経路を形成する。これにより、親機１のハンドセットを用いて、相手端末との間で通話を行ったり、ファクシミリ制御部１０によるファクシミリ通信を行うことができる様になる。
【００４２】
また、子機２では、操作入力部２５の入力操作に応答して、無線制御部２７及び親機１の無線制御部１４の協同により子機２と親機１間の無線回線を設定し、相手端末への発信
や相手端末からの着信の指示を子機２から無線回線を通じて親機１へと送受する。これに応答して親機１では、回線制御部９による電話回線の補足制御を行い、相手端末に発信したり、相手端末からの着信に応答したりして、相手端末との通信経路を形成し、子機２を親機１及び電話回線Ｎを通じて相手端末に接続する。これにより、子機２のマイク及びスピーカ（図示せず）を用いて、相手端末との間で通話を行うことができる様になる。
【００４３】
更に、子機２では、操作入力部２５の入力操作により親機１のファクシミリ通信を起動することができる。
【００４４】
ところで、本実施例では、子機２側から親機１のファクシミリ通信を起動するに際し、ファクシミリ送信モード及びファクシミリ受信モードを選択的に設定することができる。
【００４５】
次に、子機２側から親機１のファクシミリ通信を起動するときの制御過程を図２のフローチャートに従って説明する。
【００４６】
まず、親機１のＣＰＵ３は、相手端末への発信や相手端末からの着信に対する応答を示す指示が子機２の無線制御部２７から無線回線を通じて無線制御部１４で受信されると、回線制御部９を起動して、回線制御部９による電話回線の補足制御を行わせ、相手端末に発信したり、相手端末からの着信に応答したりして、相手端末との通信経路を形成し、子機２を親機１及び電話回線Ｎを通じて相手端末に接続する。これにより、子機２と相手端末間で通話を行うことが可能になる（ステップＳ１０１で「ＹＥＳ」）。
【００４７】
この子機２による通話に際し、ＣＰＵ３は、センサ８の検出出力に基づいて、原稿が原稿読み取り部１１の読み取り位置にセットされているか否かを判定し（ステップＳ１０２）、原稿が読み取り位置にセットされているならば（ステップＳ１０２で「ＹＥＳ」）、ＲＡＭ６内の原稿セットのフラッグをオンにし、タイマー１５を起動して、タイマー１５により一定時間の計時を開始させる（ステップＳ１０３）。また、原稿が読み取り位置にセットされていなければ（ステップＳ１０２で「ＮＯ」）、ＲＡＭ６内の原稿セットのフラッグをオフにし、ステップＳ１０３をスキップして、タイマー１５を起動しない。そして、ＣＰＵ３は、ファクシミリ通信の起動命令があるか否か（ステップＳ１０４）、及び子機２による通話が終了したか否か（ステップＳ１０５）を判定する。
【００４８】
各ステップＳ１０２〜Ｓ１０５は、子機２による通話が継続される限り、繰り返される。そして、ファクシミリ通信の起動命令がないまま（ステップＳ１０４で「ＮＯ」）、子機２による通話が終了すると（ステップＳ１０５で「ＹＥＳ」）、ＣＰＵ３は、待機状態に戻る。
【００４９】
また、子機２による通話が継続されているときに、子機２側で、操作入力部２５の入力操作によりファクシミリ通信の起動が指示されると（ステップＳ１０４で「ＹＥＳ」）、子機２のＣＰＵ２１は、ファクシミリ通信の起動命令を無線制御部２７を通じて親機１に送信する。親機１では、子機２からのファクシミリ通信の起動命令を無線制御部１４で受信し、このファクシミリ通信の起動命令をＣＰＵ３に通知する。これに応答してＣＰＵ３は、ファクシミリ通信の起動命令があると判定し（ステップＳ１０４で「ＹＥＳ」）、ＲＡＭ６内の原稿セットのフラッグがオン及びオフのいずれであるかを判定し（ステップＳ１０６）、原稿セットのフラッグがオフであれば、すなわち原稿が原稿読み取り部１１の読み取り位置にセットされていなければ（ステップＳ１０６で「ＮＯ」）、ファクシミリ制御部１０を起動して、ファクシミリ制御部１０をファクシミリ受信モードで作動させる（ステップＳ１０７）。
【００５０】
このファクシミリ受信モードにおいては、ファクシミリ制御部１０は、回線制御部９を
通じて、ファクシミリ通信プロトコルを相手端末との間で実行し、相手端末からの原稿を示す画像データの受信を待機する。そして、ファクシミリ制御部１０は、相手端末からの原稿を示す画像データが電話回線Ｎを通じて回線制御部９で受信されると、この画像データを回線制御部９から入力して復調し、この復調された画像データを印字部１２に出力する。印字部１２は、画像データを入力すると、この画像データによって示される相手端末からの原稿を記録用紙に記録して、この記録用紙を出力する。
【００５１】
また、ＣＰＵ３は、ＲＡＭ６内の原稿セットのフラッグがオンであれば、すなわち原稿が原稿読み取り部１１の読み取り位置にセットされていれば（ステップＳ１０６で「ＹＥＳ」）、ステップＳ１０３で起動されたタイマー１５から一定時間の計時を終了したという判定結果を通知されたか否かを判定する（ステップＳ１０８）。そして、タイマー１５から一定時間の計時を終了したという判定結果を通知されていれば、すなわち原稿が原稿読み取り部１１にセットされてから一定時間が経過していれば（ステップＳ１０８で「ＹＥＳ」）、ＣＰＵ３は、ステップＳ１０７に移り、ファクシミリ制御部１０を起動して、ファクシミリ制御部１０をファクシミリ受信モードで作動させる（ステップＳ１０７）。これにより、先に述べたファクシミリ受信モードが行われる。
【００５２】
また、タイマー１５から一定時間の計時を終了したという判定結果を通知されていなければ、すなわち原稿が原稿読み取り部１１にセットされてから一定時間が経過していなければ（ステップＳ１０８で「ＮＯ」）、ＣＰＵ３は、原稿読み取り部１１及びファクシミリ制御部１０を起動して、原稿読み取り部１１により原稿を読み取らせ、ファクシミリ制御部１０をファクシミリ送信モードで作動させる（ステップＳ１０９）。
【００５３】
このファクシミリ送信モードにおいては、ファクシミリ制御部１０は、回線制御部９を通じて、ファクシミリ通信プロトコルを相手端末との間で実行し、また原稿を示す画像データを原稿読み取り部１１から入力し、この画像データを変調して、この変調された画像データを回線制御部９から電話回線Ｎを通じて相手端末へと送信する。
【００５４】
この様に本実施例では、子機２から親機１へとファクシミリ通信の起動が指示されたときに、原稿が原稿読み取り部１１にセットされていなければ、あるいは原稿がセットされていても、セットされてから一定時間が経過していれば、ファクシミリ受信モードを設定し、また原稿が原稿読み取り部１１にセットされてから一定時間が経過していなければ、ファクシミリ送信モードを設定している。
【００５５】
従って、子機２の使用者は、原稿を原稿読み取り部１１にセットしてから、一定時間が経過する以前に、操作入力部２５の入力操作により親機１のファクシミリ通信の起動を指示すれば、ファクシミリ送信モードを設定して、原稿読み取り部１１にセットした原稿を相手端末に送信することができる。
【００５６】
また、子機２の使用者は、原稿を原稿読み取り部１１にセットせずに、操作入力部２５の入力操作により親機１のファクシミリ通信の起動を指示すれば、ファクシミリ受信モードを設定して、相手端末からの原稿を受信することができる。
【００５７】
更に、子機２の使用者は、全く知らない原稿が原稿読み取り部１１にセットされたまま放置されていても、一定時間が経過してから、親機１のファクシミリ通信の起動を指示することにより、ファクシミリ受信モードを設定して、相手端末からの原稿を受信することができる。従って、全く知らない放置原稿を誤って送信せずに済む。
【００５８】
また、子機２の操作入力部２５の操作によりファクシミリ通信の起動を指示するだけであることから、子機２の構成が複雑化することはない。
【００５９】
尚、本発明は、上記実施例に限定されるものではなく、多様に変形することができる。例えば、センサ８は、原稿読み取り部１１にセットされる原稿を直接的に検出しているが、この代わりに、セットされる原稿を間接的に検出しても良い。例えば、原稿読み取り部１１として、プラテンガラスのカバーを開き、原稿をプラテンガラス上に置いて、カバーを閉じ、プラテンガラスとカバー間に原稿を挟みこんでから、プラテンガラス下方のスキャナーにより原稿を読み取るものを適用するならば、センサ８によりカバーの開閉動作を検出することにより、セットされる原稿を間接的に検出することができる。この場合は、図２のフローチャートにおける各ステップＳ１０２、Ｓ１０６を、図３に示す様に各ステップＳ１０２Ａ、Ｓ１０６Ａに置き換える。
【００６０】
ステップＳ１０２Ａにおいては、ＣＰＵ３は、センサ８により原稿読み取り部１１のカバーの開閉動作が検出されたならば、原稿読み取り部１１に原稿がセットされたものとみなして（ステップＳ１０２Ａで「ＹＥＳ」）、ＲＡＭ６内の原稿セットのフラッグをオンにし、またセンサ８によりカバーの開閉動作が検出されなければ、原稿がセットされなかったものとみなして（ステップＳ１０２Ａで「ＮＯ」）、ＲＡＭ６内の原稿セットのフラッグをオフにする。ステップＳ１０６Ａにおいては、ＣＰＵ３は、ＲＡＭ６内の原稿セットのフラッグがオン及びオフのいずれであるかを判定する。
【００６１】
また、タイマー１５による一定時間の計時に際し、計時時間もしくは計時の終了を表示部１３に表示したり、計時時間もしくは計時の終了を親機１から子機２に送受して子機２の表示部２６に表示しても良い。
【００６２】
更に、ファクシミリ受信モード及びファクシミリ送信モードのいずれかが設定されたときに、設定されたモードを子機２の表示部２６に表示しても良い。
【実施例２】
【００６３】
図４は、本発明の端末装置の実施例２としてのプリンタ複合機を示すブロック図である。このプリンタ複合機は、親機３１と、子機３２とを備えている。親機３１は、電話回線Ｎ１を通じて、相手端末（図示せず）に発信したり、相手端末からの着信に応答することにより相手端末と通信状態になり、通話及びファクシミリ通信を行うことができる。また、子機３２は、親機３１との間で無線通信を行い、親機３１及び電話回線Ｎ１を通じて、相手端末に発信したり、相手端末からの着信に応答することにより相手端末と通信状態になり、通話を行うことができる。
【００６４】
また、親機３１は、ユニバーサルシリアルバス（以下ＵＳＢと称す）３３を通じて、パーソナルコンピュータ（以下PCと称す）３４に接続されており、PC３４及び通信回線N２を通じて、インターネット通信を行うことができる。更に、子機２は、親機３１との間で無線通信を行い、親機３１、PC３４、及び通信回線N２を通じて、インターネット通信を行うことができる。
【００６５】
親機３１は、ＣＰＵ３５、データバス３６、ＲＯＭ３７、ＲＡＭ３８、操作入力部３９、センサ４０、回線制御部４１、ファクシミリ制御部４２、原稿読み取り部４３、印字部４４、表示部４５、無線制御部４６、インターフェース４７、及びタイマー４８等を備えている。
【００６６】
ＣＰＵ３５は、親機３１を統括的に制御するものであり、ＲＯＭ５に記憶される各種のプログラムを読み出して実行し、親機１の各ブロックを制御する。
【００６７】
データバス３６は、親機３１の各ブロック間で送受されるデータ信号を伝達する信号線
である。
【００６８】
ＲＡＭ３８は、各種のデータテーブル等の登録設定記憶、表示画面データのバッファ、及びワークエリア等のために用いられる。
【００６９】
操作入力部３９は、ダイヤルキーや各種の登録キー、通信開始キー等を備えており、操作入力されたデータや指示等をＣＰＵ３５に与える。
【００７０】
センサ４０は、原稿が原稿読み取り部４３にセットされたか否かを検出し、検出出力をＣＰＵ３５に出力する。
【００７１】
回線制御部４１は、電話回線Ｎ１の補足及び開放を制御し、交換機等を含む電話回線網を通じて、相手端末に発信したり、相手端末からの着信に応答したりして、相手端末との通信経路を形成する。
【００７２】
ファクシミリ制御部４２は、回線制御部４１を通じて、一般的なファクシミリ通信プロトコルを相手端末との間で実行し、ファクシミリ送信モード及びファクシミリ受信モードを選択的に行う。
【００７３】
原稿読み取り部４３は、原稿をセットされると、この原稿を読み取り、この原稿を示す画像データをファクシミリ制御部４２もしくは印字部４４に出力する。
【００７４】
印字部４４は、原稿読み取り部４３、ファクシミリ制御部４２、及びインターフェース４７のいずれかより画像データを入力し、この画像データによって示される原稿を記録用紙に印字して出力する。
【００７５】
表示部４５は、ＣＰＵ３５からの指示に従って、待機画面、登録設定入力画面等を表示する。
【００７６】
無線制御部４６は、無線アンテナ４６ａを有しており、子機３２との間で行われる無線通信を行って、音声データ及び制御データ等を送受する。
【００７７】
インターフェース４７は、ＵＳＢ３３を通じて、PC３４に接続され、各種のデータを送受する。
【００７８】
タイマー４８は、ＣＰＵ３５により設定された一定時間を計時し、この一定時間の計時が終了したか否かを判定して、この判定結果をＣＰＵ３５に通知する。
【００７９】
一方、子機３２は、ＣＰＵ５１、データバス５２、ＲＯＭ５３、ＲＡＭ５４、操作入力部５５、表示部５６、及び無線制御部５７等を備えている。
【００８０】
ＣＰＵ５１は、子機３２を統括的に制御するものであり、ＲＯＭ５３に記憶される各種のプログラムを読み出して実行し、子機３２の各ブロックを制御する。
【００８１】
データバス５２は、子機３２の各ブロック間で送受されるデータ信号を伝達する信号線である。
【００８２】
ＲＡＭ５４は、各種のデータテーブル等の登録設定記憶、表示画面データのバッファ、及びワークエリア等のために用いられる。
【００８３】
操作入力部５５は、ダイヤルキーや各種の登録キー、通信開始キー等を備えており、操作入力されたデータや指示等をＣＰＵ５１に与える。
【００８４】
表示部５６は、ＣＰＵ５１からの指示に従って、待機画面、登録設定入力画面等を表示する。
【００８５】
無線制御部５７は、無線アンテナ５７ａを有しており、親機３１との間で行われる無線通信を行って、音声データ及び制御データ等を送受する。
【００８６】
ここで、親機３１では、操作入力部３９の入力操作やハンドセット（図示せず）等の操作に応答して、回線制御部４１による電話回線Ｎ１の補足制御を行い、相手端末に発信したり、相手端末からの着信に応答したりして、相手端末との通信経路を形成する。これにより、親機３１のハンドセットを用いて、相手端末との間で通話を行ったり、ファクシミリ制御部４２によるファクシミリ通信を行うことができる様になる。
【００８７】
また、子機３２では、操作入力部５５の入力操作に応答して、無線制御部５７及び親機３１の無線制御部４６の協同により子機３２と親機３１間の無線回線を設定し、相手端末への発信や相手端末からの着信の指示を子機３２から無線回線を通じて親機３１へと送受する。これに応答して親機３１では、回線制御部４１による電話回線の補足制御を行い、相手端末に発信したり、相手端末からの着信に応答したりして、相手端末との通信経路を形成し、子機３２を親機３１及び電話回線Ｎ１を通じて相手端末に接続する。これにより、子機３２のマイク及びスピーカ（図示せず）を用いて、相手端末との間で通話を行うことができる様になる。
【００８８】
更に、親機３１では、操作入力部３９の入力操作により、インターネット上のアドレスをインターフェース４７からＵＳＢ３３を通じてPC３４へと通知し、インターネット通信の開始をPC３４に指示することができる。
【００８９】
また、子機３２でも、操作入力部５５の入力操作により子機３２と親機３１間の無線回線を設定してから、操作入力部５５の入力操作により、インターネット上のアドレスを該子機３２から親機３１を介してPC３４へと通知し、インターネット通信の開始をPC３４に指示することができる。
【００９０】
このインターネット通信により、親機３１及び子機３２のいずれにおいても、例えばIP電話やメール通信を行うことができる。
【００９１】
ところで、本実施例では、子機３２側で、原稿を原稿読み取り部４３にセットしてから、一定時間内に、操作入力部３９の入力操作によりインターネット上のアドレス及びインターネット通信を親機３１に指示すると、原稿を原稿読み取り部４３で読み取らせ、この原稿の画像データをPC３４を通じてインターネット上のアドレス宛てに送信することができる。
【００９２】
次に、子機３２側の指示により親機３１から原稿の画像データを送信させるときの制御過程を説明する。
【００９３】
まず、親機３１のＣＰＵ３５は、センサ４０の検出出力に基づいて、原稿が原稿読み取り部４３の読み取り位置にセットされているか否かを判定し、原稿が読み取り位置にセットされているならば、ＲＡＭ３８内の原稿セットのフラッグをオンにし、タイマー４８を起動して、タイマー４８により一定時間の計時を開始させる。
【００９４】
そして、子機３２の操作入力部５５の入力操作により子機３２と親機３１間の無線回線が設定された状態で、子機３２の操作入力部５５の入力操作によりインターネット上のアドレス及びインターネット通信が親機３１に指示されるのを待機する。
【００９５】
親機３１のＣＰＵ３５は、子機３２からのアドレス及びインターネット通信の指示が無線制御部４６で受信されると、この時点で、タイマー４８による一定時間の計時が終了した否かを判定し、一定時間の計時が終了していなければ、つまり原稿が原稿読み取り部４３の読み取り位置にセットされてから一定時間が経過していなければ、原稿読み取り部４３を起動して、原稿読み取り部４３により原稿を読み取らせ、原稿を示す画像データを原稿読み取り部４３から入力し、この画像データを先に入力したアドレス及びインターネット通信の指示と共にPC３４に出力する。
【００９６】
PC３４は、画像データ、アドレス、及びインターネット通信の指示を入力すると、このアドレスを宛先とするメールを作成し、このメールに該画像データを添付して、このメールを通信回線N２を通じてインターネット上に送信する。
【００９７】
また、親機３１のＣＰＵ３５は、子機３２からのアドレス及びインターネット通信の指示が無線制御部４６で受信された時点で、タイマー４８による一定時間の計時が終了していれば、原稿読み取り部４３を起動せずに、子機３２からの次の入力指示を待機する。
【００９８】
この様に本実施例では、原稿が原稿読み取り部４３にセットされてから一定時間が経過するまでに、子機３２からのアドレス及びインターネット通信の指示を親機３１で受信すると、原稿読み取り部４３により原稿を読み取らせ、指示されたアドレスを宛先とするメールを作成し、原稿を示す画像データを該メールに添付して、このメールをインターネット上に送信することができる。
【００９９】
尚、ここでは、画像データをメールに添付して、このメールをインターネット上に送信しているが、この代わりに、原稿が原稿読み取り部４３にセットされてから一定時間が経過するまでに、電話番号が子機３２から親機３１へと指示されると、回線制御部４１及びファクシミリ制御部４２を起動して、ファクシミリ送信モードを設定し、原稿読み取り部４３により原稿を読み取らせ、この原稿を示す画像データを電話回線N１を通じて相手端末に送信しても良い。
【０１００】
また、親機３１側で、短縮ダイヤル番号に対応してインターネット上のアドレスや電話番号を登録しておき、短縮ダイヤル番号を子機３２から親機３１へと送受し、短縮ダイヤル番号がインターネット上のアドレスに対応する場合は、インターネット通信を行い、また短縮ダイヤル番号が電話番号に対応する場合は、電話通信を行う様にしても良い。
【図面の簡単な説明】
【０１０１】
【図１】本発明の端末装置の実施例１としてのファクシミリ装置を示すブロック図である。
【図２】図１のファクシミリ装置における子機から親機のファクシミリ通信を起動するときの制御過程を示すフローチャートである。
【図３】図２の制御過程の変形例を示すフローチャートである。
【図４】本発明の端末装置の実施例２としてのプリンタ複合機を示すブロック図である。
【符号の説明】
【０１０２】
１  親機
２  子機
３、２１  中央処理装置（ＣＰＵ）
４、２２  データバス
５、２３  読み出し専用メモリ（ＲＯＭ）
６、２４  書き込み読み出し可能メモリ（ＲＡＭ）
７、２５  操作入力部
８  センサ
９  回線制御部
１０  ファクシミリ制御部
１１  原稿読み取り部
１２  印字部
１３、２６  表示部
１４、２７  無線制御部
１５  タイマー
【図１】
2006081016.tif 000003
【図２】
2006081016.tif 000004
【図３】
2006081016.tif 000005
【図４】
2006081016.tif 000006